(57)【要約】【課題】装着時の当接部の角度によって表示部の位置や姿勢が左右されにくく、調整も容易なヘッドマウントディスプレイを提供する。【解決手段】２つの保持部１は、連結部２により連結されている。そして、２つの保持部１には、ヘッドホーンを収納するヘッドホーンハウジング３が、保持部１に対して直交３軸方向に回動可能なように保持されている。一つの保持部１には、アーム支持部４が設けられ、アーム支持部４には、ディスプレイアーム５が、装着時の左右、上下方向に回動可能なように支持されている。そして、上下方向に１８０°回動させることにより、左眼用として使用されているヘッドマウントディスプレイを右眼用として使用することができる。ディスプレイアーム５の先端部に、映像を使用者の眼に表示する表示部６が設けられている。保持部１の中には回路基板７が収納されている。【選択図】  図１
2007251306.tif 000002
【特許請求の範囲】
【請求項１】
使用者の頭部に当接する２つの当接部と、それぞれの前記当接部を直交３軸方向の回動が可能なように保持する２つの保持部と、前記２つの保持部を連結する連結部と、前記保持部の一つに保持されたディスプレイアームと、前記ディスプレイアームの先端部に取り付けられ、前記使用者の眼に映像を表示する表示部とを有することを特徴とするヘッドマウントディスプレイ。
【請求項２】
前記ディスプレイアームが、前記保持部に対して、装着時の上下方向に回動可能なように保持されていることを特徴とする請求項１に記載のヘッドマウントディスプレイ。
【請求項３】
前記保持部内に、少なくとも前記表示部に表示する映像を制御するための回路基板が格納されていることを特徴とする請求項１又は請求項２に記載のヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
従来の片眼用ヘッドマウントディスプレイは、装着時に使用者の頭部に当接するスピーカー部と、そのスピーカー部の外装部材である２つのヘッドホーンハウジングを連結部で連結すると共に、このヘッドホーンハウジングの一方にディスプレイアームを取り付け、ディスプレイアームの先端部に表示部を設けていた。
【０００５】
そのため、ヘッドマウントディスプレイを頭部に装着するとき、装着者の顔や耳の形状によって、ヘッドホーンハウジングの角度が決まってしまい、それにつれてディスプレイアームの方向や表示部の位置、姿勢が左右されるという問題があった。そして、使用中においても、ヘッドホーンと耳との接触状態が変わると、表示部の位置や姿勢が変わり、その再調整が面倒であるという問題点があった。
【０００６】
本発明はこのような事情に鑑みてなされたものであり、装着時の当接部の角度によって表示部の位置や姿勢が左右されにくく、調整も容易なヘッドマウントディスプレイを提供することを課題とする。
【課題を解決するための手段】
【０００７】
前記課題を解決するための第１の手段は、使用者の頭部に当接する２つの当接部と、それぞれの前記当接部を直交３軸方向の回動が可能なように保持する２つの保持部と、前記２つの保持部を連結する連結部と、前記保持部の一つに保持されたディスプレイアームと、前記ディスプレイアームの先端部に取り付けられ、前記使用者の眼に映像を表示する表示部とを有することを特徴とするヘッドマウントディスプレイである。
【０００８】
本手段においては、使用者の頭部に当接する２つの当接部が保持部に対して直交３軸方向の回動が可能なように保持されているので、当接部は、保持部に保持されているディスプレイアームや表示部の位置に関係なく、使用者の耳の角度にフィットすることができる。逆に、使用者の耳にフィットするために当接部の角度が変わっても、ディスプレイアームや表示部の位置や姿勢への影響を少なくでき、又、調整も容易となる。
【０００９】
前記課題を解決するための第２の手段は、前記１第の手段であって、前記ディスプレイアームが、前記保持部に対して、装着時の上下方向に回動可能なように保持されていることを特徴とするものである。
【００１０】
本手段においては、表示部を使用しないとき、ディスプレイアームを回動させれば、表示部を眼の前から待避させることができる。さらに回動範囲を１８０°以上としておけば１８０°回動させることにより、右眼用と左眼用とに切り換えて使用することができる。
【００１１】
前記課題を解決するための第３の手段は、前記第１の手段又は第２の手段であって、前記保持部内に、少なくとも前記表示部に表示する映像を制御するための回路基板が格納されていることを特徴とするものである。
【００１２】
本手段においては、比較的大きな部材となる保持部内に回路基板を収納しているので、省スペースとなる。
【００１３】
なお、本発明の当接部は、装着時に使用者の頭部と接触する部分である。例えばヘッドホーンタイプの装着部材を採用しているのであれば、使用者の耳と接触するスピーカー部である。又、この場合、当接部の外界側にある外装部とは、スピーカー部を収容するヘッドホーンハウジングとなる。なお、当接部が３箇所以上存在する場合もあり、本発明にはこのようなものも含まれる。
【発明の効果】
【００１４】
本発明によれば、装着時の当接部の角度によって表示部の位置や姿勢が左右されにくく、調整も容易なヘッドマウントディスプレイを提供することができる。
【発明を実施するための最良の形態】
【００１５】
以下、本発明の実施の形態の例を、図を用いて説明する。図１は、本発明の実施の形態の１例であるヘッドマウントディスプレイを装着した状態を示す図である。２つの保持部１は、連結部２により連結されている。そして、２つの保持部１には、ヘッドホーンを収納するヘッドホーンハウジング３が、後に述べるように、保持部１に対して直交３軸方向に回動可能なように保持されている。
【００１６】
一つの保持部１には、アーム支持部４が設けられ、アーム支持部４には、後に述べるようにディスプレイアーム５が、装着時の左右、上下方向に回動可能なように支持されている。そして、上下方向に１８０°回動させることにより、図１において左眼用として使用されているヘッドマウントディスプレイを右眼用として使用することができる。ディスプレイアーム５の先端部は、使用時に使用者の顔面と平行になるように曲げられており、その先端部に、映像を使用者の眼に表示する表示部６が設けられている。保持部１の中には回路基板７が収納されている。保持部１には、回路基板７への配線ケーブル８が取り付けられている。
【００１７】
図２は、保持部１とヘッドホーンハウジング３とディスプレイアーム５の取り付け方法を示す断面図である。ヘッドホーンハウジング３は、保持部１に対して球面軸受９によって支持されており、これにより、保持部１に対して直交３軸方向の回動が可能となっている。なお、ヘッドホーンハウジング３の中にはヘッドホーンドライバ１０が収納されている。
【００１８】
アーム支持部４は、その一部である支持部材４ａが、保持部１に対して軸受を介して中心軸４ｂの周りに回動可能となるように保持されている。又、ディスプレイアーム５は、ピン４ｃの中心軸４ｄの周りに回動可能となるように保持されている。これにより、ディスプレイアーム５は、使用時における左右方向、上下方向に回動が可能とされている。ピン４ｃの周りの回動は範囲が制限されるが、表示部６を使用しないときに目の前から左右方向に待避させるだけの回動量があればよい。
【００１９】
保持部１の中には、回路基板７が収納され、配線ケーブル８中の配線１１が入り込み、回路基板７、ヘッドホーンドライバ１０に接続されている。回路基板７からは、配線１２がディスプレイアーム５を通して、表示部６まで通じている。
【００２０】
以上、図２の説明は、図１の左耳用のものについて行ったが、図１の右耳用のものは、アーム支持部４とディスプレイアーム５がないだけであり、保持部１とヘッドホーンハウジング３の関係は、図２に示したものと同じである。
【００２１】
なお、本実施の形態のヘッドマウントディスプレイは、ヘッドホーンの機能を有したものであるが、本発明は、ヘッドホーンの機能を有しないものであってもよい。例えば、スピーカー等の音声出力部を有せず、単に頭部に当たる部分にパッド等の緩衝材を有したものが、直交３軸方向に回動可能なように、保持部１に支持されているようなものでもよい。
【図面の簡単な説明】
【００２２】
【図１】本発明の実施の形態の１例であるヘッドマウントディスプレイを装着した状態を示す図である。
【図２】保持部とヘッドホーンハウジングとディスプレイアームの取り付け方法を示す断面図である。
【符号の説明】
【００２３】
１…保持部、２…連結部、３…ヘッドホーンハウジング、４…アーム支持部、４ａ…支持部材、４ｂ…中心軸、４ｃ…ピン、４ｄ…中心軸、５…ディスプレイアーム、６…表示部、７…回路基板、８…配線ケーブル、９…球面軸受、１０…ヘッドホーンドライバ、１１…配線、１２…配線
【図１】
2007251306.tif 000003
【図２】
2007251306.tif 000004